(57)【要約】【課題】本発明は通信システムの画像またはマルチメディアビデオ画像に使用される監視方法を提供する。【解決手段】監視ポイントが通信データから画像またはマルチメディアビデオ画像を取り出すステップと、前処理システムが画像またはマルチメディアビデオ画像を複数の部分に区画して、それぞれにＨａｓｈ計算を行って、毎部分のＨａｓｈ値を取得すステップと、前処理システム複数のＨａｓｈ値に対して処理を行って、一つの識別子を構成するステップと、初級監視システムは、識別子と条項における識別子を構成するＨａｓｈ値を含む複数の条項を含めテンプレートライブラリにおいて記識別子を検索するステップと、識別子が検出されないと、初級監視システムはテンプレートライブラリにおいてそれぞれに毎Ｈａｓｈ値を検索するステップと、初級監視システムが検索の結果を前処理システムと監視ポイントへ通知するステップと、を含む。本発明は通信において画像またはマルチメディアビデオ画像の監視効率を高める。
2011529213.tif 000002
【特許請求の範囲】
【請求項１】
通信システムの画像またはマルチメディアビデオ画像に使用される監視方法において、
監視ポイントは通信データから画像またはマルチメディアビデオ画像を取り出すステップと、
前処理システムは上記画像またはマルチメディアビデオ画像を複数の部分に区画して、それぞれにＨａｓｈ計算を行って、上記毎部分のＨａｓｈ値を取得するステップと、
上記前処理システムは複数の上記Ｈａｓｈ値に対して処理を行って、一つの識別子を構成するステップと、
識別子と条項における識別子を構成するＨａｓｈ値を含む複数の条項を含むテンプレートライブラリにおいて、初級監視システムは上記識別子を検索するステップと、
上記識別子を検出しないと、上記初級監視システムは上記テンプレートライブラリにおいてそれぞれに上記の毎Ｈａｓｈ値を検索するステップと、
上記初級監視システムが検索の結果を上記前処理システムと上記監視ポイントへ通知するステップと
を含むことを特徴とする監視方法。
【請求項２】
上記初級監視システムが検索の結果を上記前処理システムと上記監視ポイントへ通知して、
具体的に
上記初級監視システムが上記検索の結果を上記前処理システムへ通知して、そして上記前処理システムより上記監視ポイントへ通知し、
或いは、上記初級監視システムが上記検索の結果を同時に上記監視ポイントと上記前処理システムへ通知することを含むことを特徴とする請求項１に記載の監視方法。
【請求項３】
上記テンプレートライブラリの条項に再伝送禁止の画像またはマルチメディアビデオ画像の識別子とこの条項における識別子を構成するＨａｓｈ値がプリストアされ、
上記検索の結果が上記識別子を検出したことであると、上記初級監視システムまたは上記前処理システムが上記画像またはマルチメディアビデオ画像の関連情報を深度監視システムへ再伝送することと、
上記監視ポイントが上記画像またはマルチメディアビデオ画像の再伝送を取り消すことと
上記前処理システムが上記画像またはマルチメディアビデオ画像を上記深度監視システムへ再伝送することをさらに含むことを特徴とする請求項１に記載の監視方法。
【請求項４】
上記検索の結果は、上記識別子を検出しないが、上記Ｈａｓｈ値を検出したことであると、上記初級監視システムまたは上記前処理システムが上記画像またはマルチメディアビデオ画像の関連情報を深度監視システムへ再伝送することと、
上記初級監視システムが、上記識別子を上記テンプレートライブラリに追加することと、
上記前処理システムが上記画像またはマルチメディアビデオ画像を上記深度監視システムへ再伝送することと、
及び、上記監視ポイントが上記画像またはマルチメディアビデオ画像の再伝送を取り消すことと、
を含むことをさらに特徴とする請求項３に記載の監視方法。
【請求項５】
上記検索の結果が上記識別子を検出しない、且つ、上記Ｈａｓｈ値を検出しないことであると、上記監視ポイントが上記画像またはマルチメディアビデオ画像を再伝送することをさらに含むことを特徴とする請求項４に記載の監視方法。
【請求項６】
毎条項にさらに識別子の属性を含めて、初級監視システムがテンプレートライブラリにおいて上記識別子を検索して、
具体的に、
上記識別子を検出したと、上記識別子の上記属性を読み込むことを含むことを特徴とする請求項１に記載の監視方法。
【請求項７】
上記検索の結果が上記識別子を検出し、上記属性が再伝送禁止であることであると、上記初級監視システムまたは上記前処理システムが、上記画像またはマルチメディアビデオ画像の関連情報を深度監視システムへ再伝送することと、
上記監視ポイントが上記画像またはマルチメディアビデオ画像の再伝送を取り消すことと、
上記前処理システムが、上記画像またはマルチメディアビデオ画像を上記深度監視システムへ再伝送することをさらに含むことを特徴とする請求項６に記載の監視方法。
【請求項８】
上記検索の結果が上記識別子を検出し、上記属性が再伝送許可であると、上記監視ポイントは上記画像またはマルチメディアビデオ画像を再伝送することをさらに含むことを特徴とする請求項６に記載の監視方法。
【請求項９】
上記識別子を検出しないと、上記初級監視システムは上記テンプレートライブラリにおいてそれぞれに上記毎Ｈａｓｈ値を検索して、
具体的に、
上記初級監視システムは、上記テンプレートライブラリにおける上記属性が再伝送禁止である上記識別子のＨａｓｈ値に対して、上記毎Ｈａｓｈ値を検索することを含むことを特徴とする請求項６に記載の監視方法。
【請求項１０】
上記検索の結果が上記識別子を検出しないが、上記Ｈａｓｈ値を検出したことであると、上記初級監視システムまたは上記前処理システムは上記画像またはマルチメディアビデオ画像の関連情報を深度監視システムへ再伝送することと、
上記初級監視システムは上記識別子を上記テンプレートライブラリへ追加することと、
上記前処理システムは上記画像またはマルチメディアビデオ画像を上記深度監視システムへ再伝送することと、
及び、上記監視ポイントは上記画像またはマルチメディアビデオ画像の再伝送を取り消すことをさらに含むことを特徴とする請求項９に記載の監視方法。
【請求項１１】
上記検索の結果が上記識別子を検出しなくて、上記Ｈａｓｈ値を検出しないことであると、上記初級監視システムまたは上記前処理システムは上記画像またはマルチメディアビデオ画像の関連情報を深度監視システムへ再伝送することと、
上記前処理システムは上記画像またはマルチメディアビデオ画像を上記深度監視システムへ再伝送することと、
上記初級監視システムは上記深度監視システムからの通知を受信し、相応的に上記監視ポイントへ通知することをさらに含むことを特徴とする請求項９に記載の監視方法。
【請求項１２】
上記通知は上記画像またはマルチメディアビデオ画像の再伝送の禁止を指示して、
上記初級監視システムは上記識別子を上記テンプレートライブラリへ追加して、上記識別子の属性を再伝送禁止に設置して、上記複数のＨａｓｈ値を上記識別子の条項へ追加して、再伝送禁止に関する指示を上記監視ポイントへ通知することと、
上記監視ポイントが上記画像またはマルチメディアビデオ画像の再伝送を取り消すことをさらに含むことを特徴とする請求項１１に記載の監視方法。
【請求項１３】
上記通知で上記画像またはマルチメディアビデオ画像の再伝送の許可を指示して、
上記初級監視システムが上記識別子と上記複数のＨａｓｈ値を上記テンプレートライブラリに追加するして、上記識別子の属性を再伝送許可に設置することと、
上記初級監視システムが再伝送許可に関する指示を上記監視ポイントへ通知することと、
上記監視ポイントが上記画像またはマルチメディアビデオ画像を再伝送することをさらに含むことを特徴とする請求項１１に記載の監視方法。
【請求項１４】
上記監視ポイントが予定時間内に上記通知を受信しないと、上記画像またはマルチメディアビデオ画像再伝送し、或いは再伝送を取り消すことをさらに含むことを特徴とする請求項１１に記載の監視方法。
【請求項１５】
上記検索の結果が上記識別子を検出しない、且つ、上記Ｈａｓｈ値を検出しないことであると、上記監視ポイントは上記画像またはマルチメディアビデオ画像を再伝送することをさらに含むことを特徴とする請求項９に記載の監視方法。
【請求項１６】
上記関連情報は、上記画像またはマルチメディアビデオ画像に関する送信者識別子、受信者識別子、サービス識別子、情報ブロークサイズ、情報送信時間、画像フォーマット、画像サイズの少なくとも一種類を含むことを特徴とする請求項３、４、１０のいずれか一項に記載の監視方法。
【請求項１７】
上記画像を複数の部分に区画して、それぞれにＨａｓｈ計算を行って、上記毎部分のＨａｓｈ値を取得して、
具体的に、
上記前処理システムは上記画像をＮ×Ｍ個の部分に区画して、ＮもＭも正整数であることと、
上記前処理システムは上記Ｎ×Ｍ個の部分にそれぞれにＨａｓｈ値計算を行って、Ｎ×Ｍ個のＨａｓｈ値を取得することを含むことを特徴とする請求項１に記載の監視方法。
【請求項１８】
上記複数のＨａｓｈ値に対して処理を行って、一つの識別子を構成して、
具体的に、
上記前処理システムは上記複数のＨａｓｈ値に対してＨａｓｈ計算を行って、一つの特徴Ｈａｓｈ値を取得して、上記識別子とすることを含むことを特徴とする請求項１に記載の監視方法。
【請求項１９】
上記複数のＨａｓｈ値に対してＨａｓｈ計算を行って、一つの特徴Ｈａｓｈ値を取得して、
具体的に、
上記前処理システムは上記複数のＨａｓｈ値を一つの文字列に繋がることと、
上記前処理システムは上記文字列に対してＨａｓｈ計算を行って、一つの桁数が減少された文字列を上記特徴Ｈａｓｈ値とすることを含むことを特徴とする請求項１８に記載の監視方法。
【請求項２０】
上記複数のＨａｓｈ値に対して処理を行って一つの識別子を構成して、
具体的に
上記前処理システムは上記複数のＨａｓｈ値を一つの文字列に繋がって、上記識別子とすることを含むことを特徴とする請求項１に記載の監視方法。
【請求項２１】
上記画像に対してフォーマット処理及び/またはサイズ処理を行って処理された後の画像を取得することと、
そして、上記処理された後の画像に対して上記画像を複数の部分に区画して、それぞれにＨａｓｈ計算を行うステップ及び複数のＨａｓｈ値に対して処理を行って、一つの識別子を構成するステップを行うことをさらに含むことを特徴とする請求項１７〜２０のいずれか一項に記載の監視方法。
【請求項２２】
上記画像に対してカラー処理を行ってカラー処理された後の画像を取得することと、
そして、上記カラー処理された後の画像に対して上記画像を複数の部分に区画して、それぞれにＨａｓｈ計算のステップ及び上記複数のＨａｓｈ値に対して処理を行って、一つの識別子を構成するステップを行うことをさらに含むことを特徴とする請求項１７〜２０のいずれか一項に記載の監視方法。
【請求項２３】
上記画像に対してＩ回に特徴値を取り出して、取り出されたＩ個のサブ画像と取り出された後の元画像残り部分の一つのサブ画像を取得することと、
そして、上記Ｉ+１個のサブ画像に対して上記画像を複数の部分に区画して、それぞれにＨａｓｈ計算を行うステップ及び上記複数のＨａｓｈ値に対して処理を行って一つの識別子を構成するステップを行うことをさらに含むことを特徴とする請求項１７〜２０のいずれか一項に記載の監視方法。
【請求項２４】
上記マルチメディアビデオ画像を複数の部分に区画して、それぞれにＨａｓｈ計算を行って、毎部分のＨａｓｈ値を取得して、
具体的に
上記前処理システムは上記マルチメディアビデオ画像をＮ個の部分に区画して、Ｎが正整数であることと、
Ｎ個の部分における毎部分のすべての画像のデータを規定された方式でそれぞれに一緒にカスケードして、Ｎ個のデータ部分を構成することと、
上記前処理システムは上記Ｎ個の部分にそれぞれにＨａｓｈ値計算を行って、Ｎ個のＨａｓｈ値を取得することを含むことを特徴とする請求項１に記載の監視方法。
【請求項２５】
複数のＨａｓｈ値に対して処理を行って、一つの識別子を構成して、
具体的に
上記前処理システムが上記複数のＨａｓｈ値に対してＨａｓｈ計算を行って、一つの特徴Ｈａｓｈ値を取得して、上記識別子とすることを含むことを特徴とする請求項１に記載の監視方法。
【請求項２６】
上記複数のＨａｓｈ値に対してＨａｓｈ計算を行って一つの特徴Ｈａｓｈ値を取得して、
具体的に、
上記前処理システムが上記複数のＨａｓｈ値を一つの文字列に繋がることと、
上記前処理システムが上記文字列に対してＨａｓｈ計算を行って、一つの桁数が減少された文字列を取得して、上記特徴Ｈａｓｈ値とすることを含むことを特徴とする請求項２５に記載の監視方法。
【請求項２７】
上記複数のＨａｓｈ値に対して処理を行って、一つの識別子を構成して、
具体的に、
上記前処理システムは上記複数のＨａｓｈ値を一つの文字列に繋がって、上記識別子とすることを含むことを特徴とする請求項１に記載の監視方法。
【請求項２８】
上記マルチメディアビデオ画像に対してフォーマット処理及び/またはサイズ処理を行って、処理された後のマルチメディアビデオ画像を取得することと、
そして、上記処理された後のマルチメディアビデオ画像に対して上記マルチメディアビデオ画像を複数の部分に区画して、それぞれにＨａｓｈ計算のステップ及び上記複数のＨａｓｈ値に対して処理を行って一つの識別子を構成するステップを行うことをさらに含むことを特徴とする請求項２４〜２７のいずれか一項に記載の監視方法。
【請求項２９】
上記マルチメディアビデオ画像に対してカラー処理を行ってカラー処理された後のマルチメディアビデオ画像を取得することと、
そして、上記カラー処理された後のマルチメディアビデオ画像に対して上記マルチメディアビデオ画像を複数の部分に区画してそれぞれにＨａｓｈ計算を行うステップ及び上記複数のＨａｓｈ値に対して処理を行って一つの識別子を構成するステップを行うことをさらに含むことを特徴とする請求項２４〜２７のいずれか一項に記載の監視方法。
【請求項３０】
上記マルチメディアビデオ画像に対してＩ回に特徴値を取り出して、Ｉ個のサブマルチメディアビデオ画像と取り出された後の元画像残り部分の一つのサブ画像を取得することと、
そして、上記Ｉ+１個のサブマルチメディアビデオ画像に対して上記マルチメディアビデオ画像を複数の部分に区画して、それぞれにＨａｓｈ計算を行うステップ及び上記複数のＨａｓｈ値に対して処理を行って一つの識別子を構成するステップを行うことをさらに含むことを特徴とする請求項２４〜２７のいずれか一項に記載の監視方法。
【請求項３１】
予め既知再伝送禁止の画像またはマルチメディアビデオ画像を複数の部分に区画して、それぞれにＨａｓｈ計算を行って、上記毎部分のＨａｓｈ値を取得することと、
複数のＨａｓｈ値に処理を行って識別子を取得することと、
上記識別子と上記複数のＨａｓｈ値を上記テンプレートライブラリに追加することをさらに含むことを特徴とする請求項１に記載の監視方法。
【請求項３２】
予め既知再伝送許可または再伝送禁止の画像またはマルチメディアビデオ画像を複数の部分に区画して、それぞれにＨａｓｈ計算を行って、上記毎部分のＨａｓｈ値を取得することと、
上記複数のＨａｓｈ値に対して処理を行って識別子を取得することと、
上記識別子と上記複数のＨａｓｈ値を上記テンプレートライブラリの条項に追加して、相応的に上記識別子の属性を再伝送許可または再伝送禁止に設置することをさらに含むことを特徴とする請求項６に記載の監視方法。
【発明の詳細な説明】
【技術分野】
【０００１】
本発明は、通信分野に関し、具体的に、通信システムの画像またはマルチメディアビデオ画像に使用される監視方法に関する。
【背景技術】
【０００２】
ネットワーク通信において、画像とマルチメディアビデオ画像を利用して有害な情報を転送する現象があるので、この種類の画像とマルチメディアビデオ画像を認識できることを期待されている。ここのマルチメディアビデオ画像というのは、ビデオを放送する際のすべての画像の集合であって、一組の連続的な画像である。画像とマルチメディアビデオ画像が上記有害な情報を備えるかどうかを認識できるように、まず、画像とマルチメディアビデオ画像の内容を表現する必要があって、次に、マッチング方法を採用して、画像とマルチメディアビデオ画像に対して認識を行う。最後に、認識結果より相応の監視対策を採用することができる。
【０００３】
従来、すでに多種類のハッシュ（Ｈａｓｈ）アルゴリズムを採用する特徴に基づく画像を表現する方法があって、このＨａｓｈアルゴリズムはｈａｓｈ関数とも呼ばれて（ハッシュ関数とも呼ばれて、これは発明の本質に影響しない）、Ｈａｓｈ関数は、ランダム長さの入力メッセージ文字列を固定長さの出力メッセージ文字列にマッピングする関数である。この出力メッセージ文字列をこのメッセージのＨａｓｈ値と呼ばれて、ハッシュ値とも呼ばれる。如何なる入力文字列における単一のビットの変化により、出力メッセージ文字列における約半分のビットの変化も起こす。Ｈａｓｈ関数は、少なくとも以下のいくつかの条件を満足する。（１）入力メッセージ文字列長さはランダム長さであり、（２）出力メッセージ文字列長は固定長さであり、（３）指定される入力メッセージ文字列ごとにＨａｓｈ値を計算することがより易くなり、（４）Ｈａｓｈ関数の詳細が指定されて、二つの異なる入力メッセージ文字列を同一のＨａｓｈ値にマッピングすることを見つけたら、計算を実現できない。だから、Ｈａｓｈ値は唯一的に一枚の画像を表現することができる。
【０００４】
従来の画像表現方法は、主に二種類に分類され、一種類は、画像全体に対して、まずＨａｓｈアルゴリズムを採用し表現して、次に画像認識を行うことであって、もう一種類は、まず画像に対してある方式で切り分けを行って、そして切り分けられた部分ごとにＨａｓｈ値を計算して、取得した一組のＨａｓｈ値でこの画像を表現して、最后に一つずつＨａｓｈ値を利用して画像認識を行うことであって、この種類の方法は、内容が改変された画像を認識することができる。
【０００５】
上記二種類の方法に対して、上記第一類の方法は、同じ画像を認識するためだけにしか用いることができず、改変された画像を認識するためには用いることができず、上記第二類の方法は、内容の改変を受けた画像を認識することができるが、一枚の画像を認識する際に、すべてのＨａｓｈ値に対して一回のマッチングを行う必要がある。だから、この二種類の画像表現方法の欠陥よる認識画像の効率が高くなれないことに導いて、便利に監視システムに応用することができない。特に、この二種類の方法を繋がると、即ち、まず第一類の方法を採用して、そして、第二類の方法を採用したら、画像に一回のＨａｓｈ計算を行うことが必要であって、そして、初期画像を表現するバイナリバイト数が比較的に多くて、効率にある程度の欠陥が存在する（即ち効率が比較的低い）。マルチメディアビデオ画像にとっても類似の欠陥が存在する。
【発明の概要】
【発明が解決しようとする課題】
【０００６】
従来の技術的画像またはマルチメディアビデオ画像の監視効率が低い問題を解決するために、本発明は、通信システムの画像またはマルチメディアビデオ画像に使用される監視方法を提供することにある。
【課題を解決するための手段】
【０００７】
本発明の目的を実現するために、本発明によれば、通信システムの画像またはマルチメディアビデオ画像に使用される監視方法を提供する。
【０００８】
本発明による通信システムの画像またはマルチメディアビデオ画像に使用される監視方法は、監視ポイントは通信データから画像またはマルチメディアビデオ画像を取り出すステップと、前処理システムは画像またはマルチメディアビデオ画像を複数の部分に区画して、それぞれにＨａｓｈ計算を行って、毎部分のＨａｓｈ値を取得するステップと、前処理システムは複数のＨａｓｈ値に対して処理を行って、一つの識別子を構成するステップと、識別子と条項における識別子を構成するＨａｓｈ値を含む複数の条項を含むテンプレートライブラリにおいて、初級監視システムは識別子を検索するステップと、識別子が検出されないと、初級監視システムは上記テンプレートライブラリにおいてそれぞれに毎Ｈａｓｈ値を検索するステップと、初級監視システムは検索の結果を前処理システムと監視ポイントへ通知するステップとを含む。
【０００９】
さらに、本発明において、初級監視システムは検索の結果を前処理システムと監視ポイントへ通知して、具体的に、初級監視システムは、検索の結果を前処理システムへ通知して、そして、前処理システムより監視ポイントへ通知し、或いは初級監視システムは検索の結果を同時に監視ポイントと前処理システムとへ通知することを含む。
【００１０】
さらに、本発明において、テンプレートライブラリの条項において再伝送禁止の画像またはマルチメディアビデオ画像の識別子とこの条項における識別子を構成するＨａｓｈ値をプリストアされ、上記検索の結果は、識別子が検出されたことであると、初級監視システムまたは前処理システムが画像またはマルチメディアビデオ画像の関連情報を深度監視システムへ再伝送することと、監視ポイントが画像またはマルチメディアビデオ画像の再伝送を取り消すことと、前処理システムは画像またはマルチメディアビデオ画像を深度監視システムへ再伝送することを含む。
【００１１】
さらに、本発明において、検索の結果は、識別子が検出されないが、Ｈａｓｈ値が検出されることであると、初級監視システムまたは前処理システムが画像またはマルチメディアビデオ画像の関連情報を深度監視システムへ再伝送することと、初級監視システムはテンプレートライブラリへ識別子を追加することと、前処理システムは画像またはマルチメディアビデオ画像を深度監視システムへ再伝送することと、及び、監視ポイントが画像またはマルチメディアビデオ画像の再伝送を取り消すことを含む。
【００１２】
さらに、本発明において、検索の結果は、識別子が検出されない、且つＨａｓｈ値が検出されないと、監視ポイントは画像またはマルチメディアビデオ画像を再伝送する。
【００１３】
さらに、本発明において、毎条項においてさらに識別子の属性を含めて、初級監視システムはテンプレートライブラリにおいて識別子を検索して、具体的に、識別子が検出されると、識別子の属性を読み込むことを含む。
【００１４】
さらに、本発明において、検索の結果は、識別子が検出され、且つ、属性は再伝送禁止であると、初級監視システムまたは前処理システムが画像またはマルチメディアビデオ画像の関連情報を深度監視システムへ再伝送して、監視ポイントが画像またはマルチメディアビデオ画像の再伝送を取り消して、前処理システムは画像またはマルチメディアビデオ画像を深度監視システムへ再伝送する。
【００１５】
さらに、本発明において、検索の結果は、識別子が検出され、且つ、属性は再伝送許可であると、監視ポイントは画像またはマルチメディアビデオ画像を再伝送する。
【００１６】
さらに、本発明において、識別子が検出されないと、初級監視システムはテンプレートライブラリにおいてそれぞれに毎Ｈａｓｈ値を検索して、具体的に、初級監視システムはテンプレートライブラリにおける属性が再伝送禁止である識別子のＨａｓｈ値について毎Ｈａｓｈ値を検索することを含む。
【００１７】
さらに、本発明において、検索の結果は、識別子が検出されないが、Ｈａｓｈ値が検出されると、初級監視システムまたは前処理システムが画像またはマルチメディアビデオ画像の関連情報を深度監視システムへ再伝送して、初級監視システムはテンプレートライブラリへ識別子を追加して、前処理システムは画像またはマルチメディアビデオ画像を深度監視システムへ再伝送して、及び、監視ポイントが画像またはマルチメディアビデオ画像の再伝送を取り消す。
【００１８】
さらに、本発明において、検索の結果は、識別子が検出されない、且つＨａｓｈ値が検出されないと、初級監視システムまたは前処理システムが画像またはマルチメディアビデオ画像の関連情報を深度監視システムへ再伝送して、前処理システムは画像またはマルチメディアビデオ画像を深度監視システムへ再伝送して、初級監視システムは深度監視システムからの通知を受信して、相応に監視ポイントへ通知する。
【００１９】
さらに、本発明において、通知は画像またはマルチメディアビデオ画像の再伝送禁止を指示して、さらに、初級監視システムはテンプレートライブラリへ識別子を追加して、識別子の属性を再伝送禁止に設置して、複数のＨａｓｈ値を識別子の条項へ追加して、監視ポイントへ再伝送禁止についての指示を通知することと、監視ポイントが画像またはマルチメディアビデオ画像の再伝送を取り消すことを含む。
【００２０】
さらに、本発明において、通知は画像またはマルチメディアビデオ画像の再伝送許可を指示して、さらに、初級監視システムはテンプレートライブラリへ識別子と複数のＨａｓｈ値を追加して、識別子の属性を再伝送許可に設置することと、初級監視システムは監視ポイントへ再伝送許可についての指示を通知することと、監視ポイントは画像またはマルチメディアビデオ画像を再伝送することを含む。
【００２１】
さらに、本発明において、監視ポイントは予定時間内に通知を受信しないと、画像またはマルチメディアビデオ画像を再伝送し、或いは再伝送を取り消す。
【００２２】
さらに、本発明において、検索の結果は、識別子が検出されない、且つＨａｓｈ値が検出されないと、監視ポイントは画像またはマルチメディアビデオ画像を再伝送する。
【００２３】
さらに、本発明において、関連情報は、以下の画像またはマルチメディアビデオ画像に関する送信者識別子、受信者識別子、サービス識別子、情報ブロークサイズ、情報送信時間、画像フォーマット、画像サイズの少なくとも一種類を含む。
【００２４】
さらに、本発明において、画像を複数の部分に区画してそれぞれにＨａｓｈ計算を行って、毎部分のＨａｓｈ値を取得して、具体的に、前処理システムは画像をＮ×Ｍ個の部分に区画して、ＮもＭも正整数であることと、前処理システムは上記Ｎ×Ｍ個の部分にそれぞれにＨａｓｈ値計算を行って、Ｎ×Ｍ個のＨａｓｈ値を取得することを含む。
【００２５】
さらに、本発明において、複数のＨａｓｈ値に対して処理を行って、一つの識別子を構成して、具体的に、前処理システムは複数のＨａｓｈ値に対してＨａｓｈ計算を行って、識別子として一つの特徴Ｈａｓｈ値を取得することを含む。
【００２６】
さらに、本発明において、複数のＨａｓｈ値に対してＨａｓｈ計算を行って、一つの特徴Ｈａｓｈ値を取得して、具体的に、前処理システムは複数のＨａｓｈ値を一つの文字列に繋がることと、前処理システムは文字列に対してＨａｓｈ計算を行って、特徴Ｈａｓｈ値として一つの桁数が減少された文字列を取得することを含む。
【００２７】
さらに、本発明において、複数のＨａｓｈ値に対して処理を行って、一つの識別子を構成して、具体的に、前処理システムは複数のＨａｓｈ値を識別子として一つの文字列に繋がる、ことを含む。
【００２８】
さらに、本発明において、画像に対してフォーマット処理及び・またはサイズ処理を行って処理された画像を取得して、そして、処理された画像を複数の部分に区画してそれぞれにＨａｓｈ計算を行うステップ及び複数のＨａｓｈ値に対して処理を行って、一つの識別子を構成するステップを行う。
【００２９】
さらに、本発明において、画像に対してカラー処理を行ってカラー処理された画像を取得して、そしてカラー処理された画像を複数の部分に区画して、それぞれにＨａｓｈ計算を行うステップ及び複数のＨａｓｈ値に対して処理を行って、一つの識別子を構成するステップを行う。
【００３０】
さらに、本発明において、画像に対してＩ回に特徴値を取り出して、取り出されたＩ個のサブ画像と取り出された後の元画像の残り部の一つのサブ画像を取得して、そして、Ｉ+１個のサブ画像を複数の部分に区画してそれぞれにＨａｓｈ計算を行うステップ及び複数のＨａｓｈ値に対して処理を行って、一つの識別子を構成するステップを行う。
【００３１】
さらに、本発明において、マルチメディアビデオ画像を複数の部分に区画してそれぞれにＨａｓｈ計算を行って、毎部分のＨａｓｈ値を取得して、具体的に、前処理システムはマルチメディアビデオ画像をＮ個の部分に区画して、Ｎは正整数であることと、Ｎ個の部分における毎部分のすべての画像のデータを規定された方式でそれぞれに一緒にカスケードして、Ｎ個のデータ部分を構成することと、前処理システムは上記Ｎ個の部分にそれぞれにＨａｓｈ値計算を行って、Ｎ個のＨａｓｈ値を取得することを含む。
【００３２】
さらに、本発明において、複数のＨａｓｈ値に対して処理を行って、一つの識別子を構成して、具体的に、前処理システムは複数のＨａｓｈ値に対してＨａｓｈ計算を行って、識別子として一つの特徴Ｈａｓｈ値を取得することを含む。
【００３３】
さらに、本発明において、複数のＨａｓｈ値に対してＨａｓｈ計算を行って、一つの特徴Ｈａｓｈ値を取得して、具体的に、前処理システムは複数のＨａｓｈ値を一つの文字列に繋がることと、前処理システムは文字列に対してＨａｓｈ計算を行って、特徴Ｈａｓｈ値として一つの桁数が減少された文字列を取得することを含む。
【００３４】
さらに、本発明において、複数のＨａｓｈ値に対して処理を行って、一つの識別子を構成して、具体的に、前処理システムは複数のＨａｓｈ値を識別子として一つの文字列に繋がることを含む。
【００３５】
さらに、本発明において、マルチメディアビデオ画像に対してフォーマット処理及び・またはサイズ処理を行って、処理されたマルチメディアビデオ画像を取得して、そして、処理されたマルチメディアビデオ画像に対してマルチメディアビデオ画像を複数の部分に区画して、それぞれにＨａｓｈ計算を行うステップ及び複数のＨａｓｈ値に対して処理を行って、一つの識別子を構成するステップを行う。
【００３６】
さらに、本発明において、マルチメディアビデオ画像に対してカラー処理を行って、カラー処理された後のマルチメディアビデオ画像を取得して、そして、カラー処理されたマルチメディアビデオ画像を複数の部分に区画して、それぞれにＨａｓｈ計算を行うステップ及び複数のＨａｓｈ値に対して処理を行って、一つの識別子を構成するステップを行う。
【００３７】
さらに、本発明において、マルチメディアビデオ画像に対してＩ回に特徴値を取り出して、Ｉ個のマルチメディアビデオ画像に対してＩ回に特徴値を取り出して、Ｉ個のサブマルチメディアビデオ画像と取り出された後の元画像残り部の一つのサブ画像を取得して、そしてＩ+１個のマルチメディアビデオ画像に対してＩ回に特徴値を取り出して、Ｉ個のサブマルチメディアビデオ画像にマルチメディアビデオ画像を複数の部分に区画してそれぞれにＨａｓｈ計算を行うステップ及び複数のＨａｓｈ値に対して処理を行って、一つの識別子を構成するステップを行う。
【００３８】
さらに、本発明において、予め既知再伝送禁止の画像またはマルチメディアビデオ画像を複数の部分に区画してそれぞれにＨａｓｈ計算を行って、毎部分のＨａｓｈ値を取得して、複数のＨａｓｈ値に処理を行って識別子を取得して、識別子と複数のＨａｓｈ値をテンプレートライブラリへ追加する。
【００３９】
さらに、本発明において、予め既知再伝送許可または再伝送禁止の画像またはマルチメディアビデオ画像を複数の部分に区画して、それぞれにＨａｓｈ計算を行って、毎部分のＨａｓｈ値を取得して、複数のＨａｓｈ値に処理を行って識別子を取得して、識別子と複数のＨａｓｈ値をテンプレートライブラリの条項へ追加して、相応に識別子の属性を再伝送許可或いは再伝送禁止に設置する。
【発明の効果】
【００４０】
上記技術対策の少なくともの一つによると、本発明は、上記の画像またはマルチメディアビデオ画像の監視方法により、複数のＨａｓｈ値を一つの識別子に処理して、先にこの識別子だけを監視するので、従来の技術的画像またはマルチメディアビデオ画像の監視効率が低い問題を克服し、通信における画像またはマルチメディアビデオ画像の監視の効率を高める。
【図面の簡単な説明】
【００４１】
【図１】本発明の実施例による通信システムの画像またはマルチメディアビデオ画像に使用される監視方法のフローチャートである。
【図２】本発明による好ましい実施例１の監視システムは通信ネットワークにおける実現の模式図である。
【図３】本発明による好ましい実施例２の監視システムは通信ネットワークにおける実現の模式図である。
【図４】本発明による好ましい実施例３の画像またはマルチメディアビデオ画像の監視方法の模式図である。
【図５】本発明による好ましい実施例４の画像またはマルチメディアビデオ画像の監視方法の模式図である。
【図６】本発明による好ましい実施例の画像を切り分ける模式図である。
【図７】本発明による好ましい実施例の画像表現方法の模式図である。
【図８】本発明による好ましい実施例のマルチメディアビデオ画像切り分ける模式図である。
【図９】本発明による好ましい実施例のマルチメディアビデオ画像の表現方法の模式図である。
【発明を実施するための形態】
【００４２】
ここで説明された図面は本発明をさらに説明する用であり、本願の一部を構成し、示した実施の形態とその説明は本発明を解釈するためのものであり、本発明に対する不当な限定ではない。
【００４３】
機能の概要
従来の技術において、画像またはマルチメディアビデオ画像の監視効率が低い問題を考慮して、本発明の実施例は通信システムに使用される画像またはマルチメディアビデオ画像の監視対策を提供することにあり。この対策において、監視ポイントが通信データから画像またはマルチメディアビデオ画像を取り出して、前処理システムが画像またはマルチメディアビデオ画像を複数の部分に区画してそれぞれにＨａｓｈ計算を行って、毎部分のＨａｓｈ値を取得して、そして、前処理システムが複数のＨａｓｈ値に対して処理を行って、一つの識別子を構成し、識別子と条項における識別子を構成するＨａｓｈ値を含む複数の条項を含むテンプレートライブラリにおいて、初級監視システム識別子を検索し、識別子が検出されないと、初級監視システムが上記テンプレートライブラリにおいてそれぞれに毎Ｈａｓｈ値を検索して、初級監視システムが検索の結果を前処理システムと監視ポイントへ通知する。
【００４４】
なお、矛盾しない限りにおいて、本願における実施例及びその特徴は相互に組合せてもよい。以下、図面を参照しながら実施例について詳細に本発明を説明する。
【００４５】
図１は本発明による実施例の通信システムの画像またはマルチメディアビデオ画像に使用される監視方法のフローチャートであって、以下のステップＳ１０〜ステップＳ６０を含む。
【００４６】
ステップＳ１０では、監視ポイントが通信データから画像またはマルチメディアビデオ画像を取り出す。
【００４７】
ステップＳ２０では、前処理システムが画像またはマルチメディアビデオ画像を複数の部分に区画して、それぞれにＨａｓｈ計算を行って、毎部分のＨａｓｈ値を取得する。
【００４８】
ステップＳ３０では、前処理システムが複数のＨａｓｈ値に対して処理を行って、一つの識別子を構成する。
【００４９】
ステップＳ４０では、初級監視システムは、識別子と条項における識別子を構成するＨａｓｈ値を含む複数の条項を含むテンプレートライブラリにおいて、この識別子を検索する。
【００５０】
ステップＳ５０では、識別子が検出されないと、初級監視システムはテンプレートライブラリにおいてそれぞれに毎Ｈａｓｈ値を検索する。
【００５１】
ステップＳ６０では、初級監視システムが検索の結果を前処理システムと監視ポイントへ通知する。
【００５２】
この実施例の監視方法より、複数のＨａｓｈ値を一つの識別子に処理して監視するので、従来の技術的画像またはマルチメディアビデオ画像の監視効率が低い問題を克服し、通信における画像またはマルチメディアビデオ画像の監視の効率を高める。
【００５３】
図２は本発明による好ましい実施例１の監視システムは通信ネットワークにおける実現の模式図であって、図２の監視センターがこの実施例の初級監視システムに対応して、図２に示すように、この通信ネットワークにおいて、監視ポイントと監視センターが設置された。監視ポイントが監視する必要がある情報を取り出す役目を果たして、監視センターが情報内容の監視を完成する役目を果たす。組み分けられたネットワークにおいて、監視ポイントはアクセスゲートウェイ、境界ゲートウェイ、内容濾過設備、深度発掘設備等のネットワーク設備であってよい。マルチメディアメッセージングサービスにおいて、監視ポイントはマルチメディアサービスセンター（Ｍｕｌｔｉ Ｍｅｄｉａ Ｓｅｒｖｉｃｅ Ｃｅｎｔｅｒ、ＭＭＳＣと略称）、メッセージゲートウェイ等の設備であってもよい。監視された情報内容を認識できるために、通信ネットワークにおいて前処理システムをさらに存在し、これが一つのロジック機能ユニットであって、具体的に実現される際に、ある監視ポイントに位置する可能性もあって、一つの単独的な物理実体として存在する可能性がある。
【００５４】
図３は本発明による好ましい実施例２の監視システムは通信ネットワークにおける実現の模式図である。図３に示すように、図３（ａ）の一層監視システムが、単に初級監視システムとする監視センターだけがある。図３（ｂ）の二層監視システムにおいて初級監視システムと深度監視システムを含む。深度監視システムはより多くの手動認識の作業を担う。
【００５５】
前処理システムがセキュリティ戦略ルールの要件（requirements of a security strategy rule）に従って、計算された画像とマルチメディアビデオ画像を表現する識別子、Ｈａｓｈ値文字列及び関連情報を監視センターへ送信する。関連情報としては、送信者識別子（たとえば、氏名、携帯電話番号、ＩＰアドレス）、受信者識別子（たとえば、氏名、携帯電話番号、ＩＰアドレス）、サービス識別子（たとえば、マルチメディアメッセージング識別子、ポート番号、流れ類別）、情報ブロークサイズ（たとえば、バイト数）、情報送信時間、画像フォーマット、画像サイズ等を含み得る。
【００５６】
監視センターがセキュリティ戦略ルールに従って、受信された識別子、Ｈａｓｈ値文字列及び予め用意されたテンプレートライブラリより、「ユーザー行為」に対して分析を行う。
【００５７】
具体的に、上記のステップＳ６０は、初級監視システムが検索の結果を前処理システムへ通知して、そして前処理システムより監視ポイントへ通知することと、或いは初級監視システムが検索の結果を同時に監視ポイントと前処理システムへ通知することを含む。
【００５８】
ここのテンプレートライブラリに再伝送禁止の画像またはマルチメディアビデオ画像の識別子がプリストアされて、検索の結果が識別子を検出したことであると、初級監視システムまたは前処理システムが画像またはマルチメディアビデオ画像の関連情報を深度監視システムへ再伝送し、監視ポイントが画像またはマルチメディアビデオ画像の再伝送を取り消し、前処理システムは画像またはマルチメディアビデオ画像を深度監視システムへ再伝送する。この好ましい対策において、識別子を検出したら、この識別子に対応する画像またはマルチメディアビデオ画像が再伝送禁止であることが確認できる。これは監視処理の速度を高める。
【００５９】
また、検索の結果に対する処理操作は以下の情况をさらに含む。
【００６０】
（１）検索の結果は、識別子が検出されないが、Ｈａｓｈ値が検出されることであると、初級監視システムまたは前処理システムが画像またはマルチメディアビデオ画像の関連情報を深度監視システムへ再伝送し、初級監視システムはテンプレートライブラリへ識別子を追加し、前処理システムは画像またはマルチメディアビデオ画像を深度監視システムへ再伝送し、及び、監視ポイントが画像またはマルチメディアビデオ画像の再伝送を取り消す。Ｈａｓｈ値を検出したのは、この画像またはマルチメディアビデオ画像が改変された再伝送禁止画像である可能性があることを示し、この好ましい実施例はこの種類の情况に相応な処理を行う。
【００６１】
（２）検索の結果は、識別子が検出されない、且つＨａｓｈ値が検出されないと、監視ポイントは画像またはマルチメディアビデオ画像を再伝送する。識別子もＨａｓｈ値も検出されたら、この画像またはマルチメディアビデオ画像が有害ではない情報であることを確認できて、再伝送できる。
【００６２】
（３）毎条項にさらに識別子の属性を含む場合に、初級監視システムがテンプレートライブラリにおいて識別子を検索して、具体的に、識別子が検出されると、識別子の属性を読み込むことを含む。この好ましい実施例がテンプレートライブラリに属性フィールドを追加して、この画像またはマルチメディアビデオ画像が有害ではない情報であるかどうか、再伝送するかどうかを具体的に定義することができる。
【００６３】
（４）検索の結果は、識別子が検出され、且つ、属性が再伝送禁止であると、初級監視システムまたは前処理システムは画像またはマルチメディアビデオ画像の関連情報を深度監視システムへ再伝送し、監視ポイントが画像またはマルチメディアビデオ画像の再伝送を取り消し、前処理システムは画像またはマルチメディアビデオ画像を深度監視システムへ再伝送する。この好ましい実施例が属性を再伝送禁止に設置されると、直接にこの画像またはマルチメディアビデオ画像の再伝送を取り消す。
【００６４】
（５）検索の結果は、識別子が検出され、且つ、属性が再伝送許可であると、監視ポイントは画像またはマルチメディアビデオ画像を再伝送する。この好ましい実施例が属性を再伝送許可に設置されると、直接にこの画像またはマルチメディアビデオ画像の再伝送を許可する。
【００６５】
（６）識別子が検出されないと、初級監視システムはテンプレートライブラリにおいてそれぞれに毎Ｈａｓｈ値を検索して、具体的に、初級監視システムはテンプレートライブラリにおける属性が再伝送禁止である識別子のＨａｓｈ値に対して毎Ｈａｓｈ値を検索することを含む。これはこの画像またはマルチメディアビデオ画像が改変された再伝送禁止の画像またはマルチメディアビデオ画像である情况に対応するためである。
【００６６】
（７）検索の結果は、識別子が検出されないが、Ｈａｓｈ値が検出されると、初級監視システムまたは前処理システムが画像またはマルチメディアビデオ画像の関連情報を深度監視システムへ再伝送して、初級監視システムはテンプレートライブラリへ識別子を追加して、前処理システムは画像またはマルチメディアビデオ画像を深度監視システムへ再伝送して、及び、監視ポイントが画像またはマルチメディアビデオ画像の再伝送を取り消す。Ｈａｓｈ値を検出したのは、改変されたことを確認できて、対応な処理を行う。
【００６７】
（８）検索の結果は、識別子が検出されない、且つ、Ｈａｓｈ値が検出されないと、初級監視システムまたは前処理システムが画像またはマルチメディアビデオ画像の関連情報を深度監視システムへ再伝送し、前処理システムは画像またはマルチメディアビデオ画像を深度監視システムへ再伝送し、初級監視システムは深度監視システムからの通知を受信して、相応的に監視ポイントへ通知する。識別子もＨａｓｈ値も検出しないのは、この画像またはマルチメディアビデオ画像がこの監視システムに進入したことはない新しい画像またはマルチメディアビデオ画像であることを示し、この好ましい実施例がこの種類の情况について対応な処理を行って、たとえば、深度監視システムへ（特定の監視部門で手動監視を行われてもよい）再伝送して処理を行う。
【００６８】
具体的に、通知が画像またはマルチメディアビデオ画像の再伝送の禁止または許可を指示する処理プロセスは下記の内容を含む。
【００６９】
第１に、通知が画像またはマルチメディアビデオ画像の再伝送禁止を指示する処理は、初級監視システムはテンプレートライブラリへ識別子を追加して、識別子の属性を再伝送禁止に設置して、複数のＨａｓｈ値を識別子の条項へ追加して、監視ポイントへ再伝送禁止の指示を通知することと、監視ポイントは画像またはマルチメディアビデオ画像の再伝送を取り消すことを含む。この実施例に再伝送禁止の指示を受信すると、相応的に画像またはマルチメディアビデオ画像の再伝送を取り消す。
【００７０】
第２に、通知が画像またはマルチメディアビデオ画像の再伝送許可を指示する処理は、初級監視システムがこの識別子と複数のＨａｓｈ値をテンプレートライブラリへ追加して、識別子の属性を再伝送許可に設置することと、初級監視システムは監視ポイントへ再伝送許可の指示を通知することと、監視ポイントは画像またはマルチメディアビデオ画像を再伝送することを含む。この実施例で再伝送許可の指示を受信すると、相応的に画像またはマルチメディアビデオ画像を再伝送して、この属性情報をテンプレートライブラリへ追加する。
【００７１】
また、監視ポイントが予定時間内に通知を受信しないと、画像またはマルチメディアビデオ画像を再伝送し、或いは再伝送を取り消す。この好ましい実施例がタイムアウトの場合の処理対策を提供する。
【００７２】
（９）検索の結果は、識別子が検出されない、且つ、Ｈａｓｈ値が検出されないと、監視ポイントは画像またはマルチメディアビデオ画像を再伝送する。識別子もＨａｓｈ値も検出しないのは、この画像またはマルチメディアビデオ画像はこの監視システムに進入したことがない新しい画像またはマルチメディアビデオ画像であることを示し、この好ましい実施例はこの種類の情况に対して対応な処理を行って、たとえば、直接に再伝送する。
【００７３】
上記の関連情報としては、送信者識別子（たとえば、氏名、携帯電話番号、ＩＰアドレス）、受信者識別子（たとえば、氏名、携帯電話番号、ＩＰアドレス）、サービス識別子（たとえば、マルチメディアメッセージング識別子、ポート番号、流れ類別）、情報ブロークサイズ（たとえば、ビット数）、情報送信時間、画像フォーマット、画像サイズ等を含み得る。
【００７４】
図４は本発明による好ましい実施例３の画像またはマルチメディアビデオ画像の監視方法の模式図であって、図４に示すように、下記のステップＳ４０１〜ステップＳ４０５を含む。
【００７５】
ステップＳ４０１では、監視センターがセキュリティ戦略ルールの要件に従って、前処理システムから送信された画像またはマルチメディアビデオ画像を表現する識別子、Ｈａｓｈ値文字列及び関連情報を受信して、予め用意されたテンプレートライブラリより「ユーザー行為」に分析を行う。関連情報としては、送信者識別子（たとえば、氏名、携帯電話番号、ＩＰアドレス）、受信者識別子（たとえば、氏名、携帯電話番号、ＩＰアドレス）、サービス識別子（たとえば、ＩＰパッケージ識別子、マルチメディアメッセージング識別子）、情報ブロークサイズ（たとえば、ビット数）、情報送信時間、画像フォーマット、画像サイズ等を含み得る。
【００７６】
ステップＳ４０２では、監視センターがセキュリティ戦略ルールの要件に従って、画像またはマルチメディアビデオ画像全体を示す識別子を使用して、テンプレートライブラリに検索を行う。
【００７７】
ステップＳ４０３では、監視センターはマッチングされた識別子を検出できると発現する。セキュリティ戦略ルールの要件に従って、検出された識別子の特定属性が再伝送許可であると、画像またはマルチメディアビデオ画像がセキュリティ戦略ルールの要件に一致することを示し、監視センターが情報を前処理システムへフィードバックして、そして前処理システムが監視ポイントを通知して、このメッセージの再伝送を許可し、或いは監視センターが直接に監視ポイントへ通知して、このメッセージを再伝送して、情報を前処理システムへフィードバックする。検出された識別子の属性が再伝送禁止であると、画像またはマルチメディアビデオ画像がセキュリティ戦略ルールの要件を違反することを示して、監視センターが情報を前処理システムへフィードバックして、そして前処理システムが監視ポイントを通知して、このメッセージの再伝送を禁止し、或いは監視センターが監視ポイントを通知して、このメッセージの再伝送を禁止して、この情報を前処理システムへフィードバックして、同時に、監視センターが監視者へ通信ネットワークで制御される情報の転送があることを通知する必要が可能である。
【００７８】
ステップＳ４０４では、監視センターがマッチングされる識別子を検出できないと発現すると、画像またはマルチメディアビデオ画像の各部分を表現するＨａｓｈ値を採用して、順次にテンプレートライブラリで検索を行う。安全規則要求より、テンプレートライブラリで一つまたは複数のマッチングされたＨａｓｈ値を検出でき、改変された画像またはマルチメディアビデオ画像であることを示すと、セキュリティ戦略ルールの要件に従って次の処理を行う。たとえば、監視センターが情報を前処理システムへフィードバックして、前処理システムが画像またはマルチメディアビデオ画像等の情報を監視センターへ報告して、同時に前処理システムが情報を監視ポイントへフィードバックして、監視ポイントがセキュリティ戦略ルールの要件に従って、この画像またはマルチメディアビデオ画像の再転送を禁止、遅延または許可する。ここで、セキュリティ戦略ルールの要件に従って、ある一つまたは複数のＨａｓｈ値がマッチングされる際に、即時にこの画像またはマルチメディアビデオ画像のＨａｓｈ値の属性を再伝送禁止に設置して、画像またはマルチメディアビデオ画像がセキュリティ戦略ルールの要件を違反することを示して、監視センターが情報を前処理システムへフィードバックして、そして前処理システムが監視ポイントを通知して、このメッセージの再伝送を禁止し、或いは監視センターが監視ポイントを通知して、このメッセージの再伝送を禁止して、この情報を前処理システムへフィードバックして、同時に、監視センターが監視者へ通信ネットワークで制御される情報の転送があることを通知する必要が可能である。
【００７９】
ステップＳ４０５では、監視センターがテンプレートライブラリを検索することより、Ｈａｓｈ値文字列においていずれかのＨａｓｈ値のマッチングを検出されないと発現して、これは通信ネットワークに出たことがない新しい画像またはマルチメディアビデオ画像であることを示し、セキュリティ戦略ルールの要件に従って、次の処理を行う。たとえば、監視センターが情報を前処理システムへフィードバックして、前処理システムが画像またはマルチメディアビデオ画像等の情報を監視センターへ報告して、同時に前処理システムが情報を監視ポイントへフィードバックして、監視ポイントがセキュリティ戦略ルールの要件に従って、この画像またはマルチメディアビデオ画像の再転送を禁止、遅延または許可する。
【００８０】
図５は本発明による好ましい実施例４の画像またはマルチメディアビデオ画像の監視方法の模式図であって、図５に示すように、下記のステップＳ５０１〜ステップＳ５０７を含む。
【００８１】
ステップＳ５０１では、監視ポイントがセキュリティ戦略ルールの要件に従って、画像またはマルチメディアビデオ画像及び関連情報を前処理システムへ送信する。関連情報としては、送信者識別子（たとえば氏名、携帯電話番号、ＩＰアドレス）、受信者識別子（たとえば氏名、携帯電話番号、ＩＰアドレス）、サービス識別子（たとえばＩＰパッケージ識別子、マルチメディアメッセージング識別子）、情報ブロークサイズ（たとえばビット数）、情報送信時間、画像フォーマット、画像サイズ等を含み得る。
【００８２】
ステップＳ５０２では、前処理システムがセキュリティ戦略ルールの要件に従って、計算された画像またはマルチメディアビデオ画像を表現するための識別子、Ｈａｓｈ値文字列及び関連情報を監視センターへ送信する。監視センターが二層監視システムで組めあわせたら、初級監視システムへ送信する。
【００８３】
ステップＳ５０３では、監視センター（初級監視システム）がセキュリティ戦略ルールの要件に従って、受信された識別子、Ｈａｓｈ値文字列及び予め用意されたテンプレートライブラリより、「ユーザー行為」に対して分析を行う。これはすでに存在する画像またはマルチメディアビデオ画像であって、且つ、この特定属性が再伝送許可であると発現し、この画像またはマルチメディアビデオ画像がセキュリティ戦略ルールの要件に一致することを示すと、監視センター（初級監視システム）が情報を前処理システムへフィードバックして、そして前処理システムが監視ポイントを通知して、このメッセージの再伝送を許可し、或いは監視センター（初級監視システム）が直接に監視ポイントを通知して、このメッセージを再伝送して、情報を前処理システムへフィードバックする。
【００８４】
ステップＳ５０４では、監視センター（初級監視システム）がセキュリティ戦略ルールの要件に従って、受信された識別子、Ｈａｓｈ値文字列及び予め用意されたテンプレートライブラリより、「ユーザー行為」に対して分析を行う。これはすでに存在する画像またはマルチメディアビデオ画像であって、且つ、特定属性が再伝送禁止であると発現し、この画像またはマルチメディアビデオ画像がセキュリティ戦略ルールの要件を違反することを示すと、監視センター（初級監視システム）が情報を前処理システムへフィードバックして、そして前処理システムが監視ポイントを通知して、このメッセージの再伝送を禁止して、或いは監視センター（初級監視システム）が監視ポイントを通知して、このメッセージの再伝送を禁止して、この情報を前処理システムへフィードバックして。同時に、一層監視システムの監視センターが監視者へ通信ネットワークで制御される情報の転送があることを通知する必要がり、二層監視システムの監視センターの初級監視システムが深度監視システムと情報通報をする必要が可能があり、 深度監視システムが監視者へ通信ネットワークで制御される情報の転送があることを通知する必要が可能がある。
【００８５】
ステップＳ５０５では、監視センター（初級監視システム）がセキュリティ戦略ルールの要件に従って、受信された識別子、Ｈａｓｈ値文字列及び予め用意されたテンプレートライブラリより、「ユーザー行為」に対して分析を行う。これは改変された画像またはマルチメディアビデオ画像であると発現すると、セキュリティ戦略ルールの要件に従って、監視センター（初級監視システム）が情報を前処理システムへフィードバックして、前処理システムが画像またはマルチメディアビデオ画像、関連情報、識別子、Ｈａｓｈ値文字列等の情報を監視センター（深度監視システム）へ報告する必要があるかもしれない、監視センター（深度監視システム）が監視者へ、通信ネットワークに改変された画像またはマルチメディアビデオ画像の転送出現したことを通知する必要があるかもしれない。同時に、前処理システムが情報を監視ポイントへフィードバックして、監視ポイントがセキュリティ戦略ルールの要件に従って、この画像またはマルチメディアビデオ画像の再転送を禁止、遅延または許可する。
【００８６】
ステップＳ５０６では、監視センター（初級監視システム）がセキュリティ戦略ルールの要件に従って、受信された識別子、Ｈａｓｈ値文字列及び予め用意されたテンプレートライブラリより、「ユーザー行為」に対して分析を行う。これは新しい画像またはマルチメディアビデオ画像であることを発現すると、セキュリティ戦略ルールの要件に従って、監視センター（初級監視システム）が情報を前処理システムへフィードバックして、前処理システムが画像またはマルチメディアビデオ画像、関連情報、識別子、Ｈａｓｈ値文字列等の情報を監視センター（深度監視システム）へ報告する必要があるかもしれない、監視センター（深度監視システム）が監視者へ通信ネットワークに新しい画像またはマルチメディアビデオ画像の転送があることを通知する必要があるかもしれない。同時に、前処理システムが情報を監視ポイントへフィードバックして、監視ポイントがセキュリティ戦略ルールの要件に従って、この画像またはマルチメディアビデオ画像の再転送を禁止、遅延または許可する。
【００８７】
ステップＳ５０７では、監視センター（深度監視システム）が通信ネットワークで改変された画像またはマルチメディアビデオ画像の転送、或いは新しい画像またはマルチメディアビデオ画像の転送が出てくると発現すると、監視者へ通知して、画像に対して認識を行い、この画像が再伝送許可或いは再伝送禁止であるという結論ができて、この結論をテンプレートライブラリに保存して、同時に相応する監視ポイントを通知して、上記再伝送許可または再伝送禁止処理プロセスより処理を行う。監視ポイントがセキュリティ戦略ルールの要件より再伝送を遅延する対策を採用して、指定された期間で、監視センター（初級監視システム、深度監視システム）からの更なる情報を取得しないと、セキュリティ戦略ルールの要件に従って処理を行うことができ、たとえば、再伝送禁止或いは再伝送許可。そのほかに、二層監視システム、深度監視システムに保存されたテンプレートライブラリがセキュリティ戦略ルールの要件に従って、初級監視システムへ更新することができる。
【００８８】
以下、具体的に本発明による好ましい実施例の画像の表現方法を説明する。
【００８９】
図６は本発明による好ましい実施例の画像を切り分ける模式図である。図６に示すように、監視ポイントで、セキュリティ戦略ルールの要件に従って、受信された画像を取り出して、初期画像として前処理システムへ提出する。前処理システムがセキュリティ戦略ルールの要件に従って、この初期画像をＮ×Ｍ個の部分に区画する。そして、前処理システムがこのＮ×Ｍ個の部分にそれぞれにＨａｓｈ値の計算を行って、毎部分のＨａｓｈ値を取得して、一組のＨａｓｈ値を形成する。そして、このＨａｓｈ値文字列に処理を行って、識別子を形成して、たとえば一回にＨａｓｈアルゴリズムを採用して、一つのＨａｓｈ値を取得して、たとえば、この一組のＨａｓｈ値にカスケードを行う。最後に、この識別子で唯一にこの初期画像を表現する。
【００９０】
具体的に、画像を複数の部分に区画して、それぞれにＨａｓｈ計算を行って、毎部分のＨａｓｈ値を取得して、具体的に、前処理システムが画像をＮ×Ｍ個の部分に区画して、ＮもＭも正整数であることと、前処理システムは上記Ｎ×Ｍ個の部分にそれぞれにＨａｓｈ値計算を行って、Ｎ×Ｍ個のＨａｓｈ値を取得することを含む。
【００９１】
この中に、複数のＨａｓｈ値に処理を行って、一つの識別子を取得するのは、下記の処理の一つを含むことができる。
【００９２】
（１）前処理システムは複数のＨａｓｈ値に対してＨａｓｈ計算を行って、一つの特徴Ｈａｓｈ値を取得して、識別子とする。この中に、複数のＨａｓｈ値に対してＨａｓｈ計算を行って、一つの特徴Ｈａｓｈ値を取得するのは、具体的に、前処理システムは複数のＨａｓｈ値を一つの文字列に繋がり、前処理システムは文字列に対してＨａｓｈ計算を行って、一つの桁数が減少された文字列を取得して特徴Ｈａｓｈ値にする。
【００９３】
（２）前処理システムは複数のＨａｓｈ値を識別子として一つの文字列に繋がる。
【００９４】
また、この監視方法は下記の処理をさらに含むことができる。
【００９５】
（１）画像に対してフォーマット処理及び/またはサイズ処理を行って、そして、処理された画像を取得して、処理された画像を複数の部分に区画してそれぞれにＨａｓｈ計算を行うステップ及び複数のＨａｓｈ値に対して処理を行って、一つの識別子を取得するステップを行う。
【００９６】
たとえば、前処理システムが画像を切り分ける前に、セキュリティ戦略ルールの要件に従って、初期画像に通常の前処理を行うことができる。たとえば、初期画像を指定される方法により標準な画像フォーマット及び/または画像サイズへ転換する。
【００９７】
（２）画像に対してカラー処理を行ってカラー処理された画像を取得して、そして、カラー処理された画像を複数の部分に区画して、それぞれにＨａｓｈ計算を行うステップ及び複数のＨａｓｈ値に対して処理を行って一つの識別子を取得するステップを行う。
【００９８】
たとえば、前処理システムが画像を切り分ける前に、セキュリティ戦略ルールの要件に従って、初期画像にカラー表現の関連の処理を行うことができる。たとえば、カラーで表示する画像をグレイスケールで表示する画像に転換する。
【００９９】
（３）画像に対してI回に特徴値を取り出して取り出されたＩ個のサブ画像と取り出された後の元画像の残り部の一つのサブ画像を取得して、そして、Ｉ+１個のサブ画像に対して、画像を複数の部分に区画して、それぞれにＨａｓｈ計算を行うステップ及び複数のＨａｓｈ値に対して処理を行って、一つの識別子を取得するステップを行う。
【０１００】
たとえば、前処理システムがＨａｓｈ値を計算する前に、セキュリティ戦略ルールの要件に従って、初期画像に通常の特徴を取り出す方法を採用して、初期画像にＩ回に特徴値を取り出して、Ｉ+１個マッチングすることが必要がある画像を形成する。そして、毎一つの画像をＮ×Ｍ個の部に切り分けた後で、毎部分のＨａｓｈ値を計算して、取得した（Ｉ+１）×Ｎ×Ｍ個のＨａｓｈ値で組み合わせたＨａｓｈ値文字列に処理を行って、画像全体を表現するための識別子を取得する。
【０１０１】
図７は本発明による好ましい実施例の画像表現方法の模式図であって、図７に示すように、下記のステップＳ７０１〜ステップＳ７０８を含む。
【０１０２】
ステップＳ７０１では、監視ポイントがセキュリティ戦略ルールの要件に従って、受信された初期画像及び関連情報を前処理システムへ提出する。関連情報としては、送信者識別子（たとえば、氏名、携帯電話番号、ＩＰアドレス）、受信者識別子（たとえば、氏名、携帯電話番号、ＩＰアドレス）、サービス識別子（たとえば、ＩＰパッケージ識別子、マルチメディアメッセージング識別子）、情報ブロークサイズ（たとえば、ビット数）、情報送信時間、画像フォーマット、画像サイズ等を含み得る。
【０１０３】
ステップＳ７０２では、前処理システムが、セキュリティ戦略ルールの要件に従って、初期画像に通常の前処理を行う。たとえば、初期画像を指定される方法より標準的な画像フォーマットまたは/及び画像サイズへ転換する。
【０１０４】
ステップＳ７０３では、前処理システムがセキュリティ戦略ルールの要件に従って、画像にカラー処理を行う。たとえば、カラー画像をグレイスケールで表示される画像に転換する。
【０１０５】
ステップＳ７０４では、前処理システムがセキュリティ戦略ルールの要件に従って、通常の特徴値を取り出す方法を採用して、画像にＩ回に特徴値を取り出して、毎回で取り出された特徴値は一つのサブ画像として、Ｉ+１個のサブ画像を形成することができる。
【０１０６】
ステップＳ７０５では、前処理システムがセキュリティ戦略ルールの要件に従って、画像データをＮ×Ｍ個の部分に切り分け、或いは特徴値を取り出されて形成されたＩ+１個のサブ画像データをそれぞれにＮ×Ｍ個の部分に切り分ける。
【０１０７】
ステップＳ７０６では、前処理システムがセキュリティ戦略ルールの要件に従って、指定されたＨａｓｈアルゴリズム或いは協議されたＨａｓｈアルゴリズムに基づいて、画像のＮ×Ｍ個の切り分けられた部分或いは（Ｉ+１）×Ｎ×Ｍ個の切り分けられた部分に、それぞれにＨａｓｈ値計算を行って、毎部分のＨａｓｈ値を取得して、画像全体を表現すりしてＨａｓｈ値文字列を形成する。
【０１０８】
ステップＳ７０７では、前処理システムがセキュリティ戦略ルールの要件に従って、画像の各切り分けられた部分で算出したＮ×Ｍ個或いは（Ｉ+１）×Ｎ×Ｍ個のＨａｓｈ値に対して、指定されたアルゴリズム或いは協議されたアルゴリズムにより、１回に識別子の計算を行って、画像全体を表現として１個の識別子を取得する。
【０１０９】
ステップＳ７０８では、画像表現の結果を出力する。ステップＳ７０７より取得した識別子でこの初期画像を表現してもよく、ステップＳ７０６より取得したＨａｓｈ値文字列でこの初期画像を表現してもよい。
【０１１０】
上記の説明より分かるように、本発明の表現方法が、複数のＨａｓｈ値を一つの識別子に処理して表現するので、従来の技術の画像監視効率が低い問題を克服し、通信における画像監視の効率を高める。
【０１１１】
下記は、具体的に、本発明による好ましい実施例のマルチメディアビデオ画像表現方法を説明する。
【０１１２】
図８は本発明による好ましい実施例のマルチメディアビデオ画像を切り分ける模式図であって、図８に示すように、監視ポイントで、セキュリティ戦略ルールの要件に従って、受信されたマルチメディアビデオ画像を取り出して、初期マルチメディアビデオ画像として、前処理システムへ提出する。前処理システムがセキュリティ戦略ルールの要件に従って、この初期マルチメディアビデオ画像をＮ個の部分に区画する。そして、前処理システムがこのＮ個の部分に対して、それぞれにＨａｓｈ値の計算を行って、毎部分のＨａｓｈ値を取得して、一組のＨａｓｈ値を構成する。そして、このＨａｓｈ値文字列に処理を行って、一つの識別子を取得する。たとえば、この組のＨａｓｈ値に１回にＨａｓｈアルゴリズムを使用して、一つのＨａｓｈ値識別子を取得して、識別子とする、或いはこの組のＨａｓｈ値にカスケードを行って、識別子とする。最後に、この識別子で唯一にこの初期マルチメディアビデオ画像を表現する。
【０１１３】
この好ましい実施例は識別子だけ採用し、マルチメディアビデオ画像全体にＨａｓｈ計算を行う必要がなく、一つの識別子でマルチメディアビデオ画像を表現することができる。認識の回数が減少され、文字列桁数が著しく減少されて認識の作業の量を減少するので、大幅にシステムの性能を高める。
【０１１４】
具体的に、マルチメディアビデオ画像を複数の部分に区画して、それぞれにＨａｓｈ計算を行って、毎部分のＨａｓｈ値を取得し、具体的に、前処理システムはマルチメディアビデオ画像をＮ個の部分に区画して、Ｎが正整数であることと、Ｎ個の部分における毎部分のすべての画像のデータを規定された方式でそれぞれに一緒にカスケードして、Ｎ個のデータ部分を構成することと、前処理システムは上記Ｎ個の部分にそれぞれにＨａｓｈ値計算を行って、Ｎ個のＨａｓｈ値を取得する。
【０１１５】
この中に、一つの識別子として複数のＨａｓｈ値を処理し、具体的に、下記の操作の一つを含む。
【０１１６】
（１）前処理システムは複数のＨａｓｈ値に対してＨａｓｈ計算を行って、識別子として一つの特徴Ｈａｓｈ値を取得する。この中に、複数のＨａｓｈ値に対してＨａｓｈ計算を行って、一つの特徴Ｈａｓｈ値を取得し、具体的に、前処理システムは複数のＨａｓｈ値を一つの文字列に繋がることと、前処理システムは文字列に対してＨａｓｈ計算を行って、特徴Ｈａｓｈ値として一つの桁数が減少された文字列を取得する。
【０１１７】
（２）前処理システムは複数のＨａｓｈ値を識別子として一つの文字列に繋がる。
【０１１８】
また、この監視方法は下記の一つをさらに含む。
【０１１９】
（１）マルチメディアビデオ画像に対してフォーマット処理及び/またはサイズ処理を行って、処理されたマルチメディアビデオ画像を取得し、処理されたマルチメディアビデオ画像を複数の部分に区画して、それぞれにＨａｓｈ計算を行うステップ及び複数のＨａｓｈ値に対して処理を行って一つの識別子を取得するステップを行う。
【０１２０】
たとえば、前処理システムがマルチメディアビデオ画像を切り分ける前に、セキュリティ戦略ルールの要件に従って、初期マルチメディアビデオ画像に対して通常の前処理を行うことが出来る。たとえば、初期マルチメディアビデオ画像を指定された方法により標準的なマルチメディアビデオ画像フォーマット及び/またはマルチメディアビデオ画像サイズに転換する。
【０１２１】
（２）マルチメディアビデオ画像に対してカラー処理を行って、カラー処理された後のマルチメディアビデオ画像を取得して、そして、カラー処理されたマルチメディアビデオ画像を複数の部分に区画して、それぞれにＨａｓｈ計算を行うステップ及び複数のＨａｓｈ値に対して処理を行って一つの識別子を取得するステップを行う。
【０１２２】
たとえば、前処理システムがマルチメディアビデオ画像を切り分ける前に、セキュリティ戦略ルールの要件に従って、初期マルチメディアビデオ画像に対してカラー表現の関連の処理を行うことが出来る。たとえば、カラーで表示するマルチメディアビデオ画像をグレイスケールで表示するマルチメディアビデオ画像に転換することが出来る。
【０１２３】
（３）マルチメディアビデオ画像に対してＩ回に特徴値を取り出して、Ｉ個のサブマルチメディアビデオ画像と取り出された後の元画像残り部の一つのサブ画像を取得して、そして、Ｉ+１個サブマルチメディアビデオ画像に対して、マルチメディアビデオ画像を複数の部分に区画してそれぞれにＨａｓｈ計算を行うステップ及び複数のＨａｓｈ値に対して処理を行って一つの識別子を取得するステップを行う。
【０１２４】
（４）予め既知再伝送禁止の画像またはマルチメディアビデオ画像を複数の部分に区画してそれぞれにＨａｓｈ計算を行って、毎部分のＨａｓｈ値を取得して、複数のＨａｓｈ値に処理を行って識別子を取得して、識別子と複数のＨａｓｈ値をテンプレートライブラリへ追加する。
【０１２５】
（５）予め既知再伝送許可または再伝送禁止の画像またはマルチメディアビデオ画像を複数の部分に区画してそれぞれにＨａｓｈ計算を行って、毎部分のＨａｓｈ値を取得して、複数のＨａｓｈ値に処理を行って識別子を取得して、識別子と複数のＨａｓｈ値をテンプレートライブラリの条項へ追加して、相応的に識別子の属性を再伝送許可或いは再伝送禁止に設置する。
【０１２６】
図９は本発明による好ましい実施例のマルチメディアビデオ画像表現方法の模式図であって、図９に示すように、下記のステップＳ９０１〜ステップＳ９０６を含む。
【０１２７】
ステップＳ９０１では、監視ポイントがセキュリティ戦略ルールの要件に従って、受信された初期マルチメディアビデオ画像及び関連情報を前処理システムへ提供する。関連情報としては、送信者識別子（たとえば、氏名、携帯電話番号、ＩＰアドレス）、受信者識別子（たとえば、氏名、携帯電話番号、ＩＰアドレス）、サービス識別子（たとえば、ＩＰパッケージ識別子、マルチメディアメッセージング識別子）、情報ブロークサイズ（たとえば、ビット数）、情報送信時間、マルチメディアビデオ画像フォーマット、マルチメディアビデオ画像サイズ等を含み得る。
【０１２８】
ステップＳ９０２では、前処理システムがセキュリティ戦略ルールの要件に従って、マルチメディアビデオ画像にカラー処理を行う。たとえば、カラーマルチメディアビデオ画像をグレイスケールで表示するマルチメディアビデオ画像に転換する。
【０１２９】
ステップＳ９０３では、前処理システムが、マルチメディアビデオ画像データをＮ個の部分に切り分ける。毎部分が１枚または複数枚のマルチメディアビデオ画像における画像を含む。
【０１３０】
ステップＳ９０４では、前処理システムが、セキュリティ戦略ルールの要件に従って、指定されたＨａｓｈアルゴリズム或いは協議されたＨａｓｈアルゴリズムにより、マルチメディアビデオ画像のＮ個の切り分けられた部分にそれぞれにＨａｓｈ値計算を行って、切り分けられた毎部分のＨａｓｈ値を取得して、Ｈａｓｈ値文字列を形成して、マルチメディアビデオ画像の切り分けられた各部分を表現することに使用される。
【０１３１】
ステップＳ９０５では、前処理システムがセキュリティ戦略ルールの要件に従って、マルチメディアビデオ画像に切り分けられた各部分に算出するＮ個のＨａｓｈ値に対して、指定されたアルゴリズム或いは協議されたアルゴリズムにより、１回に識別子の計算を行って、１個の識別子を取得して、マルチメディアビデオ画像全体を表現することに使用される。
【０１３２】
ステップＳ９０６では、マルチメディアビデオ画像の表現結果を出力する。ステップＳ９０４より取得するＨａｓｈ値でこの初期マルチメディアビデオ画像を表現してもよい、ステップＳ９０５で取得する識別子でこの初期マルチメディアビデオ画像を表現してもよい。
【０１３３】
上記の説明より分かるように、本発明の監視方法は高速的に初期画像と初期マルチメディアビデオ画像を認識することができ、拡大または縮小されて、カラー表示方式を変化させて、改変された画像を認識することができ、カラー表示方式を変化させて、内容が改変されたマルチメディアビデオ画像を認識することができるので、便利に監視システムに応用することができる。
【０１３４】
この監視方法が、複数のＨａｓｈ値をまず一つの識別子に処理して、そして、まずただ一つの識別子を監視して、従来の技術の画像またはマルチメディアビデオ画像の監視効率が低い問題を克服し、通信における画像またはマルチメディアビデオ画像の監視の効率を高める。
【０１３５】
明らかに、本分野の当業者は、上記の本発明の各モジュールまたは各ステップが汎用の計算装置で実現できて、それらは単一の計算装置に集中でき、あるいは複数の計算装置より組み合わせてネットワークに配布でき、選択的に、それらは計算装置で実行可能のプログラムコードで実現できて、それらを記憶装置に記憶して、計算装置で実行でき、あるいはそれらをそれぞれに各集積回路モジュールに作成して、あるいはそれらの複数のモジュールまたはステップを単一の集積回路モジュールを作成して実現する。そうしたら、本発明がいずれもの特定のハードウェアとソフトウェアの組み合わせに限定されない。
【０１３６】
上記は本発明の好ましい実施例に過ぎない、本発明はそれに制限ない、本分野の当業者に対して、本発明がさまざまの入れ替えと変更があってもいい。本発明の主旨と原則の以内に、あらゆる改変、入れ替え、改進等をすべて本発明の請求範囲に含む。
【図１】
2011529213.tif 000003
【図２】
2011529213.tif 000004
【図３】
2011529213.tif 000005
【図４】
2011529213.tif 000006
【図５】
2011529213.tif 000007
【図６】
2011529213.tif 000008
【図７】
2011529213.tif 000009
【図８】
2011529213.tif 000010
【図９】
2011529213.tif 000011
【国際調査報告】
2011529213.tif 000012
2011529213.tif 000013
2011529213.tif 000014
2011529213.tif 000015